(57)【要約】【課題】緊急情報が配信された際、連絡を取りたい相手と連絡を容易にとる。【解決手段】情報配信サーバ２００が、端末６００，６１０の位置情報を加入者情報管理装置１００から取得し、所定の通信エリアに存在する端末６００，６１０へ通知情報を配信し、情報配信サーバ２００が有するデータベースから、通知情報が配信された端末６００，６１０のうちの端末６００とあらかじめ対応付けられており、且つ通信エリアに存在する端末６１０を検索し、端末６００の位置情報と、端末６１０の位置情報を端末６００へ送信しても良いかを示す問い合わせ情報とを、端末６１０へ送信し、問い合わせ情報に対して端末６１０の位置情報を端末６００へ送信しても良い旨を示す了解情報を端末６１０から受信した場合、端末６１０の位置情報を端末６００へ送信する。【選択図】図１
2010140237.tif 000002
【特許請求の範囲】
【請求項１】
無線通信機能を有する端末と、前記端末の位置情報を管理する加入者情報管理装置と、前記端末へ所定の内容を含む通知情報を配信する情報配信サーバとから構成される情報配信システムにおいて、
前記情報配信サーバは、前記端末の位置情報を前記加入者情報管理装置から取得し、所定の通信エリアに存在する前記端末へ前記通知情報を配信し、当該情報配信サーバが有する前記端末同士の対応付けをあらかじめ記憶するデータベースから、前記通知情報が配信された端末のうちの第１の端末とあらかじめ対応付けられており、且つ前記通信エリアに存在する第２の端末を検索し、前記第１の端末の位置情報と、前記第２の端末の位置情報を前記第１の端末へ送信しても良いかを示す問い合わせ情報とを、前記第２の端末へ送信し、前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する情報配信システム。
【請求項２】
請求項１に記載の情報配信システムにおいて、
前記加入者情報管理装置は、前記端末がＧＰＳ（Ｇｌｏｂａｌ  Ｐｏｓｉｔｉｏｎｉｎｇ  Ｓｙｓｔｅｍ）機能を搭載しているかどうかを示すＧＰＳ搭載情報を管理し、
前記情報配信サーバは、前記ＧＰＳ搭載情報を前記加入者情報管理装置から取得し、前記第１の端末が前記ＧＰＳ機能を搭載している場合、前記ＧＰＳ機能により得られる前記第１の端末の詳細位置情報を前記第１の端末から取得し、該第１の端末の詳細位置情報を前記第２の端末へ送信することを特徴とする情報配信システム。
【請求項３】
請求項２に記載の情報配信システムにおいて、
前記情報配信サーバは、前記第２の端末が前記ＧＰＳ機能を搭載している場合、前記ＧＰＳ機能により得られる前記第２の端末の詳細位置情報の取得を要求する詳細位置情報取得要求を前記問い合わせ情報に替えて前記第２の端末へ送信し、該詳細位置情報取得要求に対する前記第２の端末の詳細位置情報を前記第２の端末から受信した場合、該第２の端末の詳細位置情報を前記第１の端末へ送信することを特徴とする情報配信システム。
【請求項４】
請求項１に記載の情報配信システムにおいて、
前記第２の端末は、前記問い合わせ情報を表示し、該問い合わせ情報に対して当該第２の端末の位置情報を前記第１の端末へ送信しても良い旨の入力を受け付けた場合、前記了解情報を前記情報配信サーバへ送信することを特徴とする情報配信システム。
【請求項５】
請求項３に記載の情報配信システムにおいて、
前記第２の端末は、前記詳細位置情報取得要求を表示し、該詳細位置情報取得要求に対して当該第２の端末の詳細位置情報を前記第１の端末へ送信する旨の入力を受け付けた場合、前記第２の端末の詳細位置情報を前記情報配信サーバへ送信することを特徴とする情報配信システム。
【請求項６】
請求項１に記載の情報配信システムにおいて、
前記第２の端末は、前記情報配信サーバから送信されてきた前記第１の端末の位置情報を表示し、
前記第１の端末は、前記情報配信サーバから送信されてきた前記第２の端末の位置情報を表示することを特徴とする情報配信システム。
【請求項７】
請求項２に記載の情報配信システムにおいて、
前記第２の端末は、前記情報配信サーバから送信されてきた前記第１の端末の詳細位置情報を表示することを特徴とする情報配信システム。
【請求項８】
請求項３に記載の情報配信システムにおいて、
前記第１の端末は、前記情報配信サーバから送信されてきた前記第２の端末の詳細位置情報を表示することを特徴とする情報配信システム。
【請求項９】
無線通信機能を有する端末の位置情報を管理する加入者情報管理装置と接続され、前記端末へ所定の内容を含む通知情報を配信する情報配信サーバであって、
前記端末の位置情報を前記加入者情報管理装置から取得する加入者プロファイル取得部と、
所定の通信エリアに存在する前記端末へ前記通知情報を配信する情報送信部と、
前記端末同士の対応付けをあらかじめ記憶するデータベースと、
前記データベースから、前記通知情報が配信された端末のうちの第１の端末と対応付けられており、且つ前記通信エリアに存在する第２の端末を検索する端末検索部と、
前記第１の端末および前記第２の端末から送信されてきた情報を受信する情報受信部とを有し、
前記情報送信部は、前記第１の端末の位置情報と、前記第２の端末の位置情報を前記第１の端末へ送信しても良いかを示す問い合わせ情報とを、前記第２の端末へ送信し、前記問い合わせ情報に対して当該第２の端末の位置情報を前記第１の端末へ送信しても良い旨を示す了解情報を前記第２の端末から前記情報受信部が受信した場合、前記第２の端末の位置情報を前記第１の端末へ送信する情報配信サーバ。
【請求項１０】
請求項９に記載の情報配信サーバにおいて、
前記加入者プロファイル取得部は、前記端末がＧＰＳ（Ｇｌｏｂａｌ  Ｐｏｓｉｔｉｏｎｉｎｇ  Ｓｙｓｔｅｍ）機能を搭載しているかどうかを示すＧＰＳ搭載情報を前記加入者情報管理装置から取得し、
前記情報送信部は、前記第１の端末が前記ＧＰＳ機能を搭載している場合、前記ＧＰＳ機能により得られる詳細位置情報の取得を要求する詳細位置情報取得要求を前記第１の端末へ送信し、該詳細位置情報取得要求に対する前記第１の端末の詳細位置情報を前記第１の端末から前記情報受信部が受信した場合、該第１の端末の詳細位置情報を前記第２の端末へ送信することを特徴とする情報配信サーバ。
【請求項１１】
請求項１０に記載の情報配信サーバにおいて、
前記情報送信部は、前記第２の端末が前記ＧＰＳ機能を搭載している場合、前記ＧＰＳ機能により得られる前記第２の端末の詳細位置情報の取得を要求する詳細位置情報取得要求を前記問い合わせ情報に替えて前記第２の端末へ送信し、該詳細位置情報取得要求に対する前記第２の端末の詳細位置情報を前記第２の端末から前記情報受信部が受信した場合、該第２の端末の詳細位置情報を前記第１の端末へ送信することを特徴とする情報配信サーバ。
【請求項１２】
無線通信機能を有する端末の位置情報を管理する加入者情報管理装置と接続され、前記端末へ所定の内容を含む通知情報を配信する情報配信サーバから所定の内容を含む通知情報を配信する情報配信方法であって、
前記情報配信サーバが、前記端末の位置情報を前記加入者情報管理装置から取得する処理と、
前記情報配信サーバが、所定の通信エリアに存在する前記端末へ前記通知情報を配信する処理と、
前記情報配信サーバが、当該情報配信サーバが有する前記端末同士の対応付けをあらかじめ記憶するデータベースから、前記通知情報が配信された端末のうちの第１の端末とあらかじめ対応付けられており、且つ前記通信エリアに存在する第２の端末を検索する処理と、
前記情報配信サーバが、前記第１の端末の位置情報と、前記第２の端末の位置情報を前記第１の端末へ送信しても良いかを示す問い合わせ情報とを、前記第２の端末へ送信する処理と、
前記情報配信サーバが、前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する処理とを有する情報配信方法。
【請求項１３】
請求項１２に記載の情報配信方法において、
前記加入者情報管理装置が、前記端末がＧＰＳ（Ｇｌｏｂａｌ  Ｐｏｓｉｔｉｏｎｉｎｇ  Ｓｙｓｔｅｍ）機能を搭載しているかどうかを示すＧＰＳ搭載情報を管理する処理と、
前記情報配信サーバが、前記ＧＰＳ搭載情報を前記加入者情報管理装置から取得する処理と、
前記第１の端末が前記ＧＰＳ機能を搭載している場合、前記情報配信サーバが、前記ＧＰＳ機能により得られる前記第１の端末の詳細位置情報を前記第１の端末から取得する処理と、
前記情報配信サーバが、前記第１の端末の詳細位置情報を前記第２の端末へ送信する処理とを有することを特徴とする情報配信方法。
【請求項１４】
請求項１３に記載の情報配信方法において、
前記第２の端末が前記ＧＰＳ機能を搭載している場合、前記情報配信サーバが、前記ＧＰＳ機能により得られる前記第２の端末の詳細位置情報の取得を要求する詳細位置情報取得要求を前記問い合わせ情報に替えて前記第２の端末へ送信する処理と、
前記情報配信サーバが、前記詳細位置情報取得要求に対する前記第２の端末の詳細位置情報を前記第２の端末から受信した場合、該第２の端末の詳細位置情報を前記第１の端末へ送信する処理とを有することを特徴とする情報配信方法。
【請求項１５】
請求項１２に記載の情報配信方法において、
前記第２の端末が、前記問い合わせ情報を表示する処理と、
前記第２の端末が、前記問い合わせ情報に対して当該第２の端末の位置情報を前記第１の端末へ送信しても良い旨の入力を受け付けた場合、前記了解情報を前記情報配信サーバへ送信する処理とを有することを特徴とする情報配信方法。
【請求項１６】
請求項１４に記載の情報配信方法において、
前記第２の端末が、前記詳細位置情報取得要求を表示する処理と、
前記第２の端末が、該詳細位置情報取得要求に対して当該第２の端末の詳細位置情報を前記第１の端末へ送信する旨の入力を受け付けた場合、前記第２の端末の詳細位置情報を前記情報配信サーバへ送信する処理とを有することを特徴とする情報配信方法。
【請求項１７】
請求項１２に記載の情報配信方法において、
前記第２の端末が、前記情報配信サーバから送信されてきた前記第１の端末の位置情報を表示する処理と、
前記第１の端末が、前記情報配信サーバから送信されてきた前記第２の端末の位置情報を表示する処理とを有することを特徴とする情報配信方法。
【請求項１８】
請求項１３に記載の情報配信方法において、
前記第２の端末が、前記情報配信サーバから送信されてきた前記第１の端末の詳細位置情報を表示する処理を有することを特徴とする情報配信方法。
【請求項１９】
請求項１４に記載の情報配信方法において、
前記第１の端末が、前記情報配信サーバから送信されてきた前記第２の端末の詳細位置情報を表示する処理を有することを特徴とする情報配信方法。
【請求項２０】
無線通信機能を有する端末の位置情報を管理する加入者情報管理装置と接続され、前記端末へ所定の内容を含む通知情報を配信する情報配信サーバに、
前記加入者情報管理装置から前記端末の位置情報を取得する手順と、
所定の通信エリアに存在する前記端末へ前記通知情報を配信する手順と、
当該情報配信サーバが有する前記端末同士の対応付けをあらかじめ記憶するデータベースから、前記通知情報が配信された端末のうちの第１の端末と対応付けられており、且つ前記通信エリアに存在する第２の端末を検索する手順と、
前記第１の端末の位置情報と、前記第２の端末の位置情報を前記第１の端末へ送信しても良いかを示す問い合わせ情報とを、前記第２の端末へ送信する手順と、
前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する手順とを実行させるためのプログラム。
【請求項２１】
請求項２０に記載のプログラムにおいて、
前記端末がＧＰＳ（Ｇｌｏｂａｌ  Ｐｏｓｉｔｉｏｎｉｎｇ  Ｓｙｓｔｅｍ）機能を搭載しているかどうかを示すＧＰＳ搭載情報を前記加入者情報管理装置から取得する手順と、
前記第１の端末が前記ＧＰＳ機能を搭載している場合、前記ＧＰＳ機能により得られる前記第１の端末の詳細位置情報を該第１の端末から取得する手順と、
該第１の端末の詳細位置情報を前記第２の端末へ送信する手順とを実行させるためのプログラム。
【請求項２２】
請求項２１に記載のプログラムにおいて、
前記第２の端末が前記ＧＰＳ機能を搭載している場合、前記ＧＰＳ機能により得られる前記第２の端末の詳細位置情報の取得を要求する詳細位置情報取得要求を前記問い合わせ情報に替えて前記第２の端末へ送信する手順と、
前記詳細位置情報取得要求に対する前記第２の端末の詳細位置情報を前記第２の端末から受信した場合、該第２の端末の詳細位置情報を前記第１の端末へ送信する手順とを実行させるためのプログラム。
【発明の詳細な説明】
【技術分野】
【０００１】
本発明は、情報を配信する情報配信システム、情報配信サーバ、情報配信方法およびプログラムに関する。
【背景技術】
【０００２】
近年、例えば、地震が発生した際に、携帯端末へ緊急地震速報を配信する緊急情報配信サービスが普及してきている。携帯端末を用いてこの緊急情報配信サービスを受けることにより、緊急情報を手軽に、且つ迅速に得ることができる。
【０００３】
一方、携帯端末を利用する利用者が契約する契約地域以外の地域に携帯端末を持ち込んだ場合であっても、契約地域にいる場合と同様のサービスを受けられるローミングサービスが普及してきている。特に、契約地域とは異なる国においてもこのローミングサービスを受けられる国際ローミングサービスの提供が増えてきている。
【０００４】
ここで、上述した緊急情報配信サービスを提供するシステムを、そのままローミングアウトユーザ向けに提供した場合を考える。
【０００５】
ローミングアウトユーザ、つまり海外に存在する利用者に、緊急情報配信サービスにより緊急情報が配信された場合、利用者は不慣れな外国という土地で、不安になるおそれがある。特に、緊急情報を受信した後、助けを求めたい、または状況を伝えたい場合に、近くに知人がいることを知ること、且つ連絡を取ることが必要となる。
【０００６】
しかしながら、現在運用されている緊急情報配信サービスおよび国際ローミングサービスには、緊急情報を受信した後に連絡を取りたい相手が近くにいても、それを知る手段がない。
【０００７】
このような緊急事態が発生した場合、利用者の存在位置をあらかじめ登録した相手に知らせる技術が考えられている（例えば、特許文献１参照。）。
【特許文献１】特開２００８−２１９７９７号公報
【発明の開示】
【発明が解決しようとする課題】
【０００８】
しかしながら、特許文献１に記載された技術においては、利用者の存在位置をあらかじめ登録した相手に知らせるものであり、その相手の位置を当該利用者が知るには、同じ登録を行わなければならず、その手間がかかってしまうという問題点がある。
【０００９】
本発明は、上述した課題を解決する情報配信システム、情報配信サーバ、情報配信方法およびプログラムを提供することを目的とする。
【課題を解決するための手段】
【００１０】
本発明の情報配信システムは、
無線通信機能を有する端末と、前記端末の位置情報を管理する加入者情報管理装置と、前記端末へ所定の内容を含む通知情報を配信する情報配信サーバとから構成される情報配信システムであって、
前記情報配信サーバは、前記端末の位置情報を前記加入者情報管理装置から取得し、所定の通信エリアに存在する前記端末へ前記通知情報を配信し、当該情報配信サーバが有する前記端末同士の対応付けをあらかじめ記憶するデータベースから、前記通知情報が配信された端末のうちの第１の端末とあらかじめ対応付けられており、且つ前記通信エリアに存在する第２の端末を検索し、前記第１の端末の位置情報と、前記第２の端末の位置情報を前記第１の端末へ送信しても良いかを示す問い合わせ情報とを、前記第２の端末へ送信し、前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する。
【００１１】
また、本発明の情報配信サーバは、
無線通信機能を有する端末の位置情報を管理する加入者情報管理装置と接続され、前記端末へ所定の内容を含む通知情報を配信する情報配信サーバであって、
前記端末の位置情報を前記加入者情報管理装置から取得する加入者プロファイル取得部と、
所定の通信エリアに存在する前記端末へ前記通知情報を配信する情報送信部と、
前記端末同士の対応付けをあらかじめ記憶するデータベースと、
前記データベースから、前記通知情報が配信された端末のうちの第１の端末と対応付けられており、且つ前記通信エリアに存在する第２の端末を検索する端末検索部と、
前記第１の端末および前記第２の端末から送信されてきた情報を受信する情報受信部とを有し、
前記情報送信部は、前記第１の端末の位置情報と、前記第２の端末の位置情報を前記第１の端末へ送信しても良いかを示す問い合わせ情報とを、前記第２の端末へ送信し、前記問い合わせ情報に対して当該第２の端末の位置情報を前記第１の端末へ送信しても良い旨を示す了解情報を前記第２の端末から前記情報受信部が受信した場合、前記第２の端末の位置情報を前記第１の端末へ送信する。
【００１２】
また、本発明の情報配信方法は、
無線通信機能を有する端末の位置情報を管理する加入者情報管理装置と接続され、前記端末へ所定の内容を含む通知情報を配信する情報配信サーバから所定の内容を含む通知情報を配信する情報配信方法であって、
前記情報配信サーバが、前記端末の位置情報を前記加入者情報管理装置から取得する処理と、
前記情報配信サーバが、所定の通信エリアに存在する前記端末へ前記通知情報を配信する処理と、
前記情報配信サーバが、当該情報配信サーバが有する前記端末同士の対応付けをあらかじめ記憶するデータベースから、前記通知情報が配信された端末のうちの第１の端末とあらかじめ対応付けられており、且つ前記通信エリアに存在する第２の端末を検索する処理と、
前記情報配信サーバが、前記第１の端末の位置情報と、前記第２の端末の位置情報を前記第１の端末へ送信しても良いかを示す問い合わせ情報とを、前記第２の端末へ送信する処理と、
前記情報配信サーバが、前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する処理とを有する。
【００１３】
また、本発明のプログラムは、
無線通信機能を有する端末の位置情報を管理する加入者情報管理装置と接続され、前記端末へ所定の内容を含む通知情報を配信する情報配信サーバに実行させるためのプログラムであって、
前記加入者情報管理装置から前記端末の位置情報を取得する手順と、
所定の通信エリアに存在する前記端末へ前記通知情報を配信する手順と、
当該情報配信サーバが有する前記端末同士の対応付けをあらかじめ記憶するデータベースから、前記通知情報が配信された端末のうちの第１の端末と対応付けられており、且つ前記通信エリアに存在する第２の端末を検索する手順と、
前記第１の端末の位置情報と、前記第２の端末の位置情報を前記第１の端末へ送信しても良いかを示す問い合わせ情報とを、前記第２の端末へ送信する手順と、
前記問い合わせ情報に対して前記第２の端末の位置情報を前記第１の端末へ送信しても良い旨を示す了解情報を前記第２の端末から受信した場合、前記第２の端末の位置情報を前記第１の端末へ送信する手順とを実行させる。
【発明の効果】
【００１４】
以上説明したように本発明においては、情報配信サーバが、無線通信機能を有する端末の位置情報を加入者情報管理装置から取得し、所定の通信エリアに存在する端末へ通知情報を配信し、情報配信サーバが有するデータベースから、通知情報が配信された端末のうちの第１の端末とあらかじめ対応付けられており、且つ通信エリアに存在する第２の端末を検索し、第１の端末の位置情報と、第２の端末の位置情報を第１の端末へ送信しても良いかを示す問い合わせ情報とを、第２の端末へ送信し、問い合わせ情報に対して第２の端末の位置情報を第１の端末へ送信しても良い旨を示す了解情報を第２の端末から受信した場合、第２の端末の位置情報を第１の端末へ送信する構成としたため、緊急情報が配信された際、連絡を取りたい相手と連絡を容易にとることができる。
【発明を実施するための最良の形態】
【００１５】
以下に、本発明の実施の形態について図面を参照して説明する。
【００１６】
図１は、本発明の情報配信システムの実施の一形態を示す図である。
【００１７】
本形態は図１に示すように、加入者情報管理装置１００と、情報配信サーバ２００と、情報配信元サーバ３００と、端末６００，６１０とから構成されている。また、加入者情報管理装置１００はインターネット４００と接続されている。また、情報配信サーバ２００は、携帯端末ネットワーク５００を介して端末６００，６１０と接続可能に構成されている。なお、図１においては、携帯端末ネットワーク５００に含まれる交換機や、インターネット４００に含まれるルータなどは省略している。また、端末６００，６１０の数は、図１に示した数に限らない。
【００１８】
加入者情報管理装置１００は、端末６００，６１０の加入者の情報（例えば、端末６００，６１０の電話番号や位置情報等）である加入者プロファイルを管理する。また、管理している加入者プロファイルを情報配信サーバ２００へ送信する。
【００１９】
図２は、図１に示した加入者情報管理装置１００の内部構成の一例を示す図である。
【００２０】
図１に示した加入者情報管理装置１００には図２に示すように、インターネット接続部１０１と、加入者プロファイル管理部１０２と、加入者プロファイル送信部１０３と、加入者プロファイルデータベース１０４とが設けられている。
【００２１】
インターネット接続部１０１は、加入者情報管理装置１００とインターネット４００とを接続するためのインタフェース機能を持つ。
【００２２】
加入者プロファイル管理部１０２は、加入者プロファイルデータベース１０４に記憶されている加入者プロファイルを管理する。つまり、加入者プロファイルデータベース１０４への加入者プロファイルの追加や削除、変更を行う。また、加入者プロファイル管理部１０２は、加入者プロファイルデータベース１０４から加入者プロファイルを読み出し、読み出した加入者プロファイル送信部１０３へ出力する。この読み出し及び出力のタイミングは、端末６００，６１０が国内から海外に移動したタイミングであっても良い。読み出し及び出力のタイミングを、端末６００，６１０が国内から海外へ移動したタイミングとした場合、その後、加入者プロファイルに変更（位置情報等の変更）があった度に、加入者プロファイル管理部１０２は、変更後の加入者プロファイルを加入者プロファイルデータベース１０４から読み出し、読み出した加入者プロファイル送信部１０３へ出力する。
【００２３】
加入者プロファイル送信部１０３は、加入者プロファイル管理部１０２から出力された加入者プロファイルを、情報配信サーバ２００へ送信する。
【００２４】
加入者プロファイルデータベース１０４は、加入者プロファイルを記憶する。
【００２５】
図３は、図２に示した加入者プロファイルデータベース１０４に記憶された加入者プロファイルの一例を示す図である。
【００２６】
図２に示した加入者プロファイルデータベース１０４に記憶された加入者プロファイルは図３に示すように、通知元識別情報と通知先識別情報とが対応付けられて記憶されている。通知元識別情報は、当該情報配信システムにおける情報配信サービスが提供される（情報配信サービスを契約している）利用者の端末を識別するための識別情報である。図３では、端末の電話番号と電子メールアドレスを例に挙げて示しているが、情報配信サーバ２００が情報を配信する宛先として指定できる情報であれば良い。また、通知先識別情報は、通知元識別情報を有する端末の利用者が、情報配信サーバ２００から情報（緊急情報等）が配信された際に、連絡を取りたい相手の端末を識別するための識別情報（コンタクトリスト）である。これは、通知元識別情報を有する端末の利用者によってあらかじめ登録されているものである。なお、図３では通知先識別情報として、端末の電話番号と電子メールアドレスを例に挙げて示しているが、通知先識別情報と同様に、情報配信サーバ２００が情報を配信する宛先として指定できる情報であれば良い。
【００２７】
例えば図３に示すように、通知元識別情報の電話番号の「０９０１１１１ｘｘｘｘ」と、通知元識別情報の電子メールアドレスの「ａａ＠ａａ．ｎｅ．ｊｐ」と、通知先識別情報の電話番号の「０９０９９９９ｘｘｘｘ」と、通知元識別情報の電子メールアドレスの「ａ９９＠ａａ．ｎｅ．ｊｐ」、および通知先識別情報の電話番号の「０９０８８８８ｘｘｘｘ」と、通知元識別情報の電子メールアドレスの「ａ８８＠ａａ．ｎｅ．ｊｐ」、および通知先識別情報の電話番号の「０９０７７７７ｘｘｘｘ」と、通知元識別情報の電子メールアドレスの「ａ７７＠ａａ．ｎｅ．ｊｐ」とが対応付けられて記憶されている。これは、電話番号が「０９０１１１１ｘｘｘｘ」であり電子メールアドレスが「ａａ＠ａａ．ｎｅ．ｊｐ」である端末の利用者が、情報配信サーバ２００から情報（緊急情報等）が配信された際に、連絡を取りたい相手の端末は、電話番号が「０９０９９９９ｘｘｘｘ」であり電子メールアドレスが「ａ９９＠ａａ．ｎｅ．ｊｐ」である端末と、電話番号が「０９０８８８８ｘｘｘｘ」であり電子メールアドレスが「ａ８８＠ａａ．ｎｅ．ｊｐ」である端末と、電話番号が「０９０７７７７ｘｘｘｘ」であり電子メールアドレスが「ａ７７＠ａａ．ｎｅ．ｊｐ」である端末であることを示している。また、通知元識別情報の電話番号の「０９０２２２２ｘｘｘｘ」と、通知元識別情報の電子メールアドレスの「ｂｂ＠ｂｂ．ｎｅ．ｊｐ」と、通知先識別情報の電話番号の「０９０９９００ｘｘｘｘ」と、通知元識別情報の電子メールアドレスの「ｂ９０＠ｂｂ．ｎｅ．ｊｐ」、および通知先識別情報の電話番号の「０９０８８００ｘｘｘｘ」と、通知元識別情報の電子メールアドレスの「ｂ８０＠ｂｂ．ｎｅ．ｊｐ」とが対応付けられて記憶されている。これは、電話番号が「０９０２２２２ｘｘｘｘ」であり電子メールアドレスが「ｂｂ＠ｂｂ．ｎｅ．ｊｐ」である端末の利用者が、情報配信サーバ２００から情報（緊急情報等）が配信された際に、連絡を取りたい相手の端末は、電話番号が「０９０９９００ｘｘｘｘ」であり電子メールアドレスが「ｂ９０＠ｂｂ．ｎｅ．ｊｐ」である端末と、電話番号が「０９０８８００ｘｘｘｘ」であり電子メールアドレスが「ｂ８０＠ｂｂ．ｎｅ．ｊｐ」である端末であることを示している。また、通知元識別情報の電話番号の「０９０３３３３ｘｘｘｘ」と、通知元識別情報の電子メールアドレスの「ｃｃ＠ｃｃ．ｎｅ．ｊｐ」と、通知先識別情報の電話番号の「０８０９９９９ｘｘｘｘ」と、通知元識別情報の電子メールアドレスの「ｃ９９＠ｃｃ．ｎｅ．ｊｐ」、および通知先識別情報の電話番号の「０８０１２３４ｘｘｘｘ」と、通知元識別情報の電子メールアドレスの「ｃ１２＠ｃｃ．ｎｅ．ｊｐ」とが対応付けられて記憶されている。これは、電話番号が「０９０３３３３ｘｘｘｘ」であり電子メールアドレスが「ｃｃ＠ｃｃ．ｎｅ．ｊｐ」である端末の利用者が、情報配信サーバ２００から情報（緊急情報等）が配信された際に、連絡を取りたい相手の端末は、電話番号が「０８０９９９９ｘｘｘｘ」であり電子メールアドレスが「ｃ９９＠ｃｃ．ｎｅ．ｊｐ」である端末と、電話番号が「０８０１２３４ｘｘｘｘ」であり電子メールアドレスが「ｃ１２＠ｃｃ．ｎｅ．ｊｐ」である端末であることを示している。
【００２８】
この加入者プロファイルは、インターネット４００から編集可能である。
【００２９】
また、加入者プロファイルデータベース１０４には、端末６００，６１０の位置登録処理により取得した位置情報や携帯端末サービスを提供するにあたって必要な情報が記憶されている。また、端末６００，６１０がＧＰＳ（Ｇｌｏｂａｌ  Ｐｏｓｉｔｉｏｎｉｎｇ  Ｓｙｓｔｅｍ）機能を搭載しているかどうかを示すＧＰＳ搭載情報が通知元識別情報や通知先識別情報と対応付けて記憶されていても良い。
【００３０】
また、情報配信サーバ２００は、情報配信元サーバ３００から配信要求された情報を、加入者情報管理装置１００から取得した加入者プロファイルに基づいて、携帯端末ネットワーク５００を介して端末６００，６１０へ配信する。
【００３１】
図４は、図１に示した情報配信サーバ２００の内部構成の一例を示す図である。
【００３２】
図１に示した情報配信サーバ２００には図４に示すように、加入者プロファイル取得部２０１と、在圏国別データベース２０２と、情報送信部２０３と、情報受信部２０４と、端末検索部２０５とが設けられている。
【００３３】
加入者プロファイル取得部２０１は、加入者情報管理装置１００から送信されてきた加入者プロファイルを取得する。また、加入者プロファイル取得部２０１は、取得した加入者プロファイルを在圏国別データベース２０２へ書き込む。また、加入者プロファイル取得部２０１は、加入者情報管理装置１００から新たな加入者プロファイルが送信されてきた場合、つまり加入者プロファイルが更新された場合、在圏国別データベース２０２を更新する。
【００３４】
在圏国別データベース２０２は、加入者プロファイル取得部２０１によって書き込まれた加入者プロファイルを記憶する。
【００３５】
図５は、図４に示した在圏国別データベース２０２に記憶された在圏情報の一例を示す図である。
【００３６】
図４に示した在圏国別データベース２０２に記憶された在圏情報は図５に示すように、国名と携帯電話事業者と配信手段と通知元識別情報と通知先識別情報とが対応付けられて記憶されている。配信手段は、情報配信サーバ２００が端末６００，６１０へ情報を配信する手段を示すものである。通知元識別情報は、図３に示した加入者プロファイルデータベース１０４に記憶されているものと同じであり、当該情報配信システムにおける情報配信サービスが提供される（情報配信サービスを契約している）利用者の端末を識別するための識別情報である。図５では、端末の電話番号と電子メールアドレスを例に挙げて示しているが、情報配信サーバ２００が情報を配信する宛先として指定できる情報であれば良い。また、通知先識別情報は、図３に示した加入者プロファイルデータベース１０４に記憶されているものと同じであり、通知元識別情報を有する端末の利用者が、情報配信サーバ２００から情報（緊急情報等）が配信された際に、連絡を取りたい相手の端末を識別するための識別情報（コンタクトリスト）である。これは、通知元識別情報を有する端末の利用者によってあらかじめ登録されているものである。なお、図５では通知先識別情報として、端末の電話番号と電子メールアドレスを例に挙げて示しているが、通知先識別情報と同様に、情報配信サーバ２００が情報を配信する宛先として指定できる情報であれば良い。
【００３７】
例えば図５に示すように、国名の「ＸＸ国」と、携帯電話事業者の「Ａ事業者」と、配信手段の「ＳＭＳ、パケット通信」と、通知元識別情報の電話番号の「０９０１１１１ｘｘｘｘ」と、通知元識別情報の電子メールアドレスの「ａａ＠ａａ．ｎｅ．ｊｐ」と、通知先識別情報の電話番号の「０９０９９９９ｘｘｘｘ」と、通知元識別情報の電子メールアドレスの「ａ９９＠ａａ．ｎｅ．ｊｐ」、および通知先識別情報の電話番号の「０９０８８８８ｘｘｘｘ」と、通知元識別情報の電子メールアドレスの「ａ８８＠ａａ．ｎｅ．ｊｐ」、および通知先識別情報の電話番号の「０９０７７７７ｘｘｘｘ」と、通知元識別情報の電子メールアドレスの「ａ７７＠ａａ．ｎｅ．ｊｐ」とが対応付けられて記憶されている。これは、ＸＸ国にいるＡ事業者を携帯電話事業者とするＳＭＳまたはパケット通信を配信手段とした電話番号が「０９０１１１１ｘｘｘｘ」であり電子メールアドレスが「ａａ＠ａａ．ｎｅ．ｊｐ」である端末の利用者が、情報配信サーバ２００から情報（緊急情報等）が配信された際に、連絡を取りたい相手の端末は、電話番号が「０９０９９９９ｘｘｘｘ」であり電子メールアドレスが「ａ９９＠ａａ．ｎｅ．ｊｐ」である端末と、電話番号が「０９０８８８８ｘｘｘｘ」であり電子メールアドレスが「ａ８８＠ａａ．ｎｅ．ｊｐ」である端末と、電話番号が「０９０７７７７ｘｘｘｘ」であり電子メールアドレスが「ａ７７＠ａａ．ｎｅ．ｊｐ」である端末であることを示している。また、国名の「ＹＹ国」と、携帯電話事業者の「Ｃ事業者」と、配信手段の「ＳＭＳ」と、通知元識別情報の電話番号の「０９０２２２２ｘｘｘｘ」と、通知元識別情報の電子メールアドレスの「ｂｂ＠ｂｂ．ｎｅ．ｊｐ」と、通知先識別情報の電話番号の「０９０９９００ｘｘｘｘ」と、通知元識別情報の電子メールアドレスの「ｂ９０＠ｂｂ．ｎｅ．ｊｐ」、および通知先識別情報の電話番号の「０９０８８００ｘｘｘｘ」と、通知元識別情報の電子メールアドレスの「ｂ８０＠ｂｂ．ｎｅ．ｊｐ」とが対応付けられて記憶されている。これは、ＹＹ国にいるＣ事業者を携帯電話事業者とするＳＭＳを配信手段とした電話番号が「０９０２２２２ｘｘｘｘ」であり電子メールアドレスが「ｂｂ＠ｂｂ．ｎｅ．ｊｐ」である端末の利用者が、情報配信サーバ２００から情報（緊急情報等）が配信された際に、連絡を取りたい相手の端末は、電話番号が「０９０９９００ｘｘｘｘ」であり電子メールアドレスが「ｂ９０＠ｂｂ．ｎｅ．ｊｐ」である端末と、電話番号が「０９０８８００ｘｘｘｘ」であり電子メールアドレスが「ｂ８０＠ｂｂ．ｎｅ．ｊｐ」である端末であることを示している。また、国名の「ＺＺ国」と、携帯電話事業者の「Ｅ事業者」と、配信手段の「ＳＭＳ、パケット通信」と、通知元識別情報の電話番号の「０９０３３３３ｘｘｘｘ」と、通知元識別情報の電子メールアドレスの「ｃｃ＠ｃｃ．ｎｅ．ｊｐ」と、通知先識別情報の電話番号の「０８０９９９９ｘｘｘｘ」と、通知元識別情報の電子メールアドレスの「ｃ９９＠ｃｃ．ｎｅ．ｊｐ」、および通知先識別情報の電話番号の「０８０１２３４ｘｘｘｘ」と、通知元識別情報の電子メールアドレスの「ｃ１２＠ｃｃ．ｎｅ．ｊｐ」とが対応付けられて記憶されている。これは、ＺＺ国にいるＥ事業者を携帯電話事業者とするＳＭＳまたはパケット通信を配信手段とした電話番号が「０９０３３３３ｘｘｘｘ」であり電子メールアドレスが「ｃｃ＠ｃｃ．ｎｅ．ｊｐ」である端末の利用者が、情報配信サーバ２００から情報（緊急情報等）が配信された際に、連絡を取りたい相手の端末は、電話番号が「０８０９９９９ｘｘｘｘ」であり電子メールアドレスが「ｃ９９＠ｃｃ．ｎｅ．ｊｐ」である端末と、電話番号が「０８０１２３４ｘｘｘｘ」であり電子メールアドレスが「ｃ１２＠ｃｃ．ｎｅ．ｊｐ」である端末であることを示している。
【００３８】
図５に示した「配信手段」は携帯電話事業者によって編集可能である。
【００３９】
また、図５に示した在圏情報に付随して、在圏国別データベース２０２に端末６００，６１０の位置登録処理により得た端末６００，６１０の位置情報が記憶されていても良い。
【００４０】
また、在圏国別データベース２０２に登録された在圏情報は、端末６００，６１０が海外から国内へ移動したタイミングで、加入者情報管理装置１００からの指示により削除されるものであっても良い。
【００４１】
また、情報送信部２０３は、情報受信部２０４が情報配信元サーバ５００から受信した情報である通知情報を携帯端末ネットワーク５００を介して端末６００，６１０へ送信する。この通知情報は、緊急情報等の所定の内容を含むものである。また、情報送信部２０３は、端末検索部２０５から出力された端末識別情報に基づいて、携帯端末ネットワーク５００を介して端末６００，６１０へ必要な情報を送信する。
【００４２】
情報受信部２０４は、情報配信元サーバ３００や端末６００，６１０から送信されてきた情報を受信する。
【００４３】
端末検索部２０５は、通知情報を配信した端末の端末識別情報に基づいて、在圏国別データベース２０２から、当該端末の位置情報を通知する端末を検索する。また、端末検索部２０５は、検索した端末の端末識別情報を情報送信部２０３へ出力する。
【００４４】
また、情報配信元サーバ３００は、情報配信サーバ２００へ通知情報を送信する。
【００４５】
図６は、図１に示した情報配信元サーバ３００の内部構成の一例を示す図である。
【００４６】
図１に示した情報配信元サーバ３００には図６に示すように、情報作成部３０１と、情報送信部３０２とが設けられている。
【００４７】
情報作成部３０１は、情報配信サーバ２００へ送信する通知情報を作成し、作成した通知情報を情報送信部３０２へ出力する。
【００４８】
情報送信部３０２は、情報作成部３０１から出力された通知情報を情報配信サーバ２００へ送信する。
【００４９】
以下に、図１に示した情報配信システムにおける情報配信方法について説明する。ここでは、端末６００（図３の表で電話番号が「０９０１１１１ｘｘｘｘ」）の利用者が旅行や出張等で海外へ渡航した場合を例に挙げて説明する。また、端末６１０の電話番号は図３に示した「０９０９９９９ｘｘｘｘ」であるとする。
【００５０】
図７は、図１に示した情報配信システムにおける情報配信方法の一例を説明するためのシーケンス図である。ここでは、端末６００，６１０にＧＰＳ機能が搭載されていない場合を例に挙げて説明する。
【００５１】
まず、端末６００の利用者が海外へ移動し、初回の位置登録時に、端末６００の位置情報や加入者プロファイルデータベース１０４に記憶されている加入者プロファイルが加入者プロファイル送信部１０３から送信される。送信された端末６００の位置情報や加入者プロファイルは、加入者プロファイル取得部２０１によって取得され、在圏国別データベース２０２に記憶される。ここでは、端末６００は、ＸＸ国にいることが記憶される。また、端末６１０もＸＸ国にいることが記憶されている。
【００５２】
端末６００，６１０が移動するなどして、加入者情報管理装置１００内の端末６００，６１０の位置情報が更新された場合や、端末６００，６１０の利用者がインターネット４００経由で加入者プロファイルを編集した場合、その都度、端末６００，６１０の加入者プロファイルのコピーが加入者プロファイル送信部１０３から情報配信サーバ２００へ送信される。
【００５３】
また、その後、端末６００，６１０の利用者が帰国したとき、つまり日本での初回位置登録時には、情報配信サーバ２００のメモリ容量削減や、位置情報のような個人情報の保持を極力少なくする必要がある。そのため、加入者情報管理装置１００によって、端末６００，６１０の加入者プロファイルの削除要求が加入者プロファイル送信部１０３から情報配信サーバ２００へ送信される。
【００５４】
削除要求を受けた情報配信サーバ２００によって端末６００，６１０の加入者プロファイルが在圏国別データベース２０２から削除される。
【００５５】
まず、情報配信元サーバ３００の情報作成部３０１にて配信される通知情報が作成され、作成された通知情報と当該通知情報の配信を要求する情報配信要求とが情報送信部３０２から情報配信サーバ２００へ送信される（ステップＳ１）。このとき作成される通知情報は、ＳＭＳの配信手段用の要約情報と、パケット通信の配信手段用の詳細情報との２種類の通知情報が作成される。
【００５６】
通知情報と情報配信要求とが情報受信部２０４にて受信されると、端末検索部２０５によって在圏国別データベース２０２から、所定の通信エリアに存在する端末が検配信先として検索されて抽出される（ステップＳ２）。この所定の通信エリアは、任意に決められるものであっても良い。例えば、ＸＸ国を通信エリアとするものであっても良い。
【００５７】
端末検索部２０５にて抽出された端末へ情報送信部２０３から通知情報が配信される（ステップＳ３）。この配信時に宛先として指定するのは、図５に示した識別情報であり、電子メールアドレスを用いて電子メールによって通知されるものであっても良い。ここでは、端末６００と端末６１０（図５に示した電話番号が「０９０９９９９ｘｘｘｘ」であるもの）とに通知情報が配信される。なお、図５に示した電話番号が「０９０８８８８ｘｘｘｘ」である端末と電話番号が「０９０７７７７ｘｘｘｘ」である端末とは、所定の通信エリア外に存在する場合を以下に説明するが、図５に示した電話番号が「０９０８８８８ｘｘｘｘ」である端末と電話番号が「０９０７７７７ｘｘｘｘ」である端末とが、所定の通信エリアに存在する場合は、以下のステップＳ５〜Ｓ１０にて説明する処理はその端末ごとに行われる。
【００５８】
図８は、配信された通知情報の要約情報の一例を示す図である。
【００５９】
情報配信サーバ２００から配信される通知情報の要約情報は図８に示すように、ニュースのような所定の情報である。例えば、図８に示すように、大地震が発生した通知であっても良い。また、この通知情報は端末６００，６１０にて表示される。表示方法は特に規定しない。
【００６０】
図９は、配信された通知情報の詳細情報の一例を示す図である。
【００６１】
情報配信サーバ２００から配信される通知情報の詳細情報は図９に示すように、図８に示した要約情報をさらに詳細に通知する情報である。例えば、図９に示すように、大地震の影響による注意事項を示した通知であっても良い。また、この通知情報は端末６００，６１０にて表示される。表示方法は特に規定しない。
【００６２】
なお、通知情報の配信方法は、在圏国別データベース２０２に登録された「配信手段」を用いるものである。このとき、配信手段としてＳＭＳとパケット通信とが登録されている場合、ＳＭＳとパケット通信では１通あたりの送信可能文字数制限が異なるため、ＳＭＳは要約情報のみ、パケット通信は詳細情報など、それぞれの文字数上限に合わせた２種類の通知情報が配信される。その後、位置登録を実施している海外携帯電話機事業者の提供サービスに応じて、端末への配信手段をＳＭＳとするか、パケット通信とするかが判定されるものであっても良い。どちらも対応している携帯電話機事業者に位置登録を実施している端末に対しては、より多くの文字数の情報を送信することが可能なパケット通信を優先させるものであっても良い。通知情報の配信は携帯端末ネットワーク５００を経由し、配信時もＳＭＳよりもパケット通信を優先させるものであっても良い。
【００６３】
続いて、通知情報が配信された端末のうち在圏国別データベース２０２に記憶されている通知元識別情報に記憶されている端末６００（第１の端末）と対応付けられており、且つ当該通信エリアに存在する、つまり当該通知情報が配信された通知先識別情報（コンタクトリスト）の端末が検索される（ステップＳ４）。ここでは、端末６１０（第２の端末）が検索された場合を例に挙げて説明する。
【００６４】
端末６１０が検索されると、情報送信部２０３から端末６１０へ、端末６００の位置情報と、問い合わせ情報とが送信される（ステップＳ５）。端末６００の位置情報は、端末６００の位置登録で取得した位置情報である。また、問い合わせ情報は、端末６１０の位置情報を端末６００へ送信しても良いかを示す情報である。
【００６５】
端末６１０にて、端末６００の位置情報と問い合わせ情報とが受信されると、それらが端末６１０に表示される（ステップＳ６）。
【００６６】
図１０は、端末６１０に表示された端末６００の位置情報の一例を示す図である。また、図１１は、端末６１０に表示された問い合わせ情報の一例を示す図である。
【００６７】
端末６１０には図１０に示すように、Ａさん（この場合、端末６００の利用者）がＳ市に存在し、地震による危険エリアに存在することが表示される。また、端末６１０には図１１に示すように、Ａさんに端末６１０の存在する場所を通知するかどうかが選択可能な問い合わせ情報が表示される。ここでは「はい」と「いいえ」とが表示される場合を例に挙げているが、選択可能であれば「Ｙｅｓ」と「Ｎｏ」といったものであっても良い。
【００６８】
端末６１０の利用者が「いいえ」を選択した場合、処理は終了する。
【００６９】
一方、端末６１０の利用者が「はい」を選択した（許可入力を端末６００が受け付けた）場合（ステップＳ７）、端末６００へ端末６１０の位置情報を送信しても良い旨を示す了解情報が、端末６１０から情報配信サーバ２００へ送信される（ステップＳ８）。
【００７０】
情報配信サーバ２００の情報受信部２０４にて了解情報が受信されると、情報送信部２０３から端末６１０の位置情報が端末６００へ送信される（ステップＳ９）。そして、端末６００にて端末６１０の位置情報が表示される（ステップＳ１０）。このとき、端末６００にて表示された端末６１０の位置情報は、端末６００に保存される。
【００７１】
また、端末６００，６１０にＧＰＳ機能が搭載されている場合、端末６００，６１０位置情報として、位置登録によるものではなく、ＧＰＳ機能によって得た位置情報（以下、詳細位置情報と称する）を用いるものであっても良い。ＧＰＳ機能によって得た詳細位置情報を用いることにより、位置登録により得た位置情報よりも詳細な位置を送信・表示することが可能となる。
【００７２】
図１２は、図１に示した情報配信システムにおける情報配信方法の他の例を説明するためのシーケンス図である。ここで、端末６００，６１０にＧＰＳ機能が搭載されているかどうかが、加入者プロファイルデータベース１０４にあらかじめ登録されており、加入者プロファイルが加入者情報管理装置１００から情報配信サーバ２００へ送信された際に、在圏国別データベース２０２に記憶されるものである。
【００７３】
ステップＳ２１〜Ｓ２４までの処理は、図７を用いて説明したステップＳ１〜Ｓ４までの処理とそれぞれ同じである。
【００７４】
ステップＳ２４に続いて、端末６００，６１０にＧＰＳ機能が搭載されているかどうかが端末検索部２０５によって在圏国別データベース２０２が参照されることにより判断される。
【００７５】
端末６００，６１０にＧＰＳ機能が搭載されている場合、情報送信部２０３から端末６００へＧＰＳ機能により得た端末６００の詳細位置情報の取得を要求する詳細位置情報取得要求が送信される（ステップＳ２５）。
【００７６】
詳細位置情報取得要求に対して、端末６００から詳細位置情報が送信されてくると（ステップＳ２６）、端末６００の詳細位置情報と、端末６１０へＧＰＳ機能により得た端末６１０の詳細位置情報の取得を要求する詳細位置情報取得要求とが、情報送信部２０３から端末６１０へ送信される（ステップＳ２７）。
【００７７】
端末６１０にて、端末６００の詳細位置情報と詳細位置情報取得要求とが受信されると、それらが端末６１０に表示される（ステップＳ２８）。
【００７８】
詳細位置情報取得要求が表示された端末６１０にて、利用者によって詳細位置情報を送信する旨を端末６１０にて受け付けた場合（ステップＳ２９）、端末６１０の詳細位置情報が、端末６１０から情報配信サーバ２００へ送信される（ステップＳ３０）。
【００７９】
情報配信サーバ２００の情報受信部２０４にて端末６１０の詳細位置情報が受信されると、情報送信部２０３から端末６１０の詳細位置情報が端末６００へ送信される（ステップＳ３１）。そして、端末６００にて端末６１０の詳細位置情報が表示される（ステップＳ３２）。このとき、端末６００にて表示された端末６１０の詳細位置情報は、端末６００に保存される。
【００８０】
コンタクトリストが複数ある場合は、ステップＳ２７〜Ｓ３２までの処理が端末ごとに行われる。
【００８１】
なお、端末６００，６１０にＧＰＳ機能が搭載されているかどうかを判断するタイミングは任意で良いが、例えば、上述したようにステップＳ４，Ｓ２４の端末検索の際に行うものであっても良い。
【００８２】
また、端末６００，６１０のどちらか一方にＧＰＳ機能が搭載されている場合、ＧＰＳ機能を搭載していない端末の位置情報と、ＧＰＳ機能を搭載している詳細位置情報とのやりとりを行う処理となる。
【００８３】
また、上述した情報配信サーバ２００の処理は、目的に応じて作製された論理回路で行うようにしても良い。また、処理内容を手順として記述したプログラムを情報配信サーバ２００にて読取可能な記録媒体に記録し、この記録媒体に記録されたプログラムを情報配信サーバ２００に読み込ませ、実行するものであっても良い。情報配信サーバ２００にて読取可能な記録媒体とは、フロッピーディスク（登録商標）、光磁気ディスク、ＤＶＤ、ＣＤなどの移設可能な記録媒体の他、情報配信サーバ２００に内蔵されたＲＯＭ、ＲＡＭ等のメモリやＨＤＤ等を指す。この記録媒体に記録されたプログラムは情報配信サーバ２００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００８４】
以上説明したように、本発明においては海外でのテロや災害等の緊急事態発生時に携帯端末を通して自身の滞在するエリアの緊急情報を容易に入手することができ、さらに緊急時に連絡を取りたい相手が自分自身の近辺にいるかどうかといった位置情報も知ることができるので、海外のような不慣れな土地でもより連絡を取りたい相手と連絡を密にとることが可能となることである。
【図面の簡単な説明】
【００８５】
【図１】本発明の情報配信システムの実施の一形態を示す図である。
【図２】図１に示した加入者情報管理装置の内部構成の一例を示す図である。
【図３】図２に示した加入者プロファイルデータベースに記憶された加入者プロファイルの一例を示す図である。
【図４】図１に示した情報配信サーバの内部構成の一例を示す図である。
【図５】図４に示した在圏国別データベースに記憶された在圏情報の一例を示す図である。
【図６】図１に示した情報配信元サーバの内部構成の一例を示す図である。
【図７】図１に示した情報配信システムにおける情報配信方法の一例を説明するためのシーケンス図である。
【図８】配信された通知情報の要約情報の一例を示す図である。
【図９】配信された通知情報の詳細情報の一例を示す図である。
【図１０】端末に表示された相手の端末の位置情報の一例を示す図である。
【図１１】端末に表示された問い合わせ情報の一例を示す図である。
【図１２】図１に示した情報配信システムにおける情報配信方法の他の例を説明するためのシーケンス図である。
【符号の説明】
【００８６】
１００    加入者情報管理装置
１０１    インターネット接続部
１０２    加入者プロファイル管理部
１０３    加入者プロファイル送信部
１０４    加入者プロファイルデータベース
２００    情報配信サーバ
２０１    加入者プロファイル取得部
２０２    在圏国別データベース
２０３，３０２    情報送信部
２０４    情報受信部
２０５    端末検索部
３００    情報配信元サーバ
３０１    情報作成部
４００    インターネット
５００    携帯端末ネットワーク
６００，６１０    端末
【図１】
2010140237.tif 000003
【図２】
2010140237.tif 000004
【図３】
2010140237.tif 000005
【図４】
2010140237.tif 000006
【図５】
2010140237.tif 000007
【図６】
2010140237.tif 000008
【図７】
2010140237.tif 000009
【図８】
2010140237.tif 000010
【図９】
2010140237.tif 000011
【図１０】
2010140237.tif 000012
【図１１】
2010140237.tif 000013
【図１２】
2010140237.tif 000014